(57)【要約】【課題】スイッチング電源回路を用いながら伝送線路に誘導されるハムを抑制する。【解決手段】電源回路２７は、スイッチング電源回路からなり、互いに静電容量が等しく且つ商用交流電源の各ラインと回路グランドＧとの間に挿入された一対のラインバイパスコンデンサＣ１，Ｃ２を具備する。幹線電源供給部２００は、互いにインピーダンスＺ１，Ｚ２が等しく且つ音声信号に対する整合インピーダンスＺよりも高いインピーダンスＺ１，Ｚ２を介して住戸別線Ｌ２の各線に直流電圧を印加する。故に、伝送線路（信号線Ｌｄ）の平衡度を崩すことなしに幹線電源供給部２００から直流電圧を印加することができる。そのため、各線に流れる電流（コモンモードノイズ）の差を低減することができ、その結果、伝送線路（信号線Ｌｄ）にハムが誘導されるのを防ぐことができる。【選択図】        図１
2007150900.tif 000002
【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機とを備え、
伝送線路は、共用部装置に接続された幹線と各住戸機に接続された住戸別線とを含むとともに幹線若しくは幹線と各住戸別線との接続部位に介装された１乃至複数台の幹線機器を有し、幹線および住戸別線は、少なくとも選択手段の操作に伴って発生し通話の開始を指示する制御信号を伝送する制御線と、音声信号を伝送する信号線とからなり、
住戸機は、共用部装置との間で信号線を介した通話を行う通話手段と、通話手段と住戸別線との間に挿入されて平衡−不平衡変換を行う平衡トランスと、スイッチング電源回路により商用交流電源から所望の直流電源を作成する電源手段と、電源手段で作成される直流電源により住戸別線の信号線の線間に直流電圧を印加する幹線電源供給手段と、制御線を介して伝送される制御信号を受信したときに幹線電源供給手段に直流電圧を印加させる制御手段とを備え、
幹線機器は、信号線について共用部装置側の幹線を共用部装置により選択された住戸機に繋がる送り側の幹線若しくは住戸別線に接続する状態と接続しない状態とが択一的に切替可能な接点部と、共用部装置により選択された住戸機に対応する住戸別線若しくは幹線の線間に直流電圧が印加されると接点部を前記接続する状態に切り替える接点切替部とを備え、
電源手段は、互いに静電容量が等しく且つ商用交流電源の各ラインと回路グランドとの間に挿入された一対のラインバイパスコンデンサを具備し、
幹線電源供給手段は、互いにインピーダンスが等しく且つ音声信号に対する整合インピーダンスよりも高いインピーダンスを介して住戸別線の各線に直流電圧を印加することを特徴とする集合住宅用インターホンシステム。
【請求項２】
電源手段は、互いに絶対値が等しく且つ極性が異なるプラス電圧とマイナス電圧を供給してなり、
幹線電源供給手段は、音声信号に対する整合インピーダンスよりも高い出力インピーダンスを有し住戸別線の一方の線にプラス電圧を印加する給電回路と、音声信号に対する整合インピーダンスよりも高く且つ給電回路の出力インピーダンスと等しい入力インピーダンスを有し住戸別線の他方の線にマイナス電圧を印加する受電回路とを有し、給電回路並びに受電回路は、ベース接地されたトランジスタで構成されることを特徴とする請求項１記載の集合住宅用インターホンシステム。
【請求項３】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機とを備え、
伝送線路は、共用部装置に接続された幹線と各住戸機に接続された住戸別線とを含むとともに幹線若しくは幹線と各住戸別線との接続部位に介装された１乃至複数台の幹線機器を有し、幹線および住戸別線は、少なくとも選択手段の操作に伴って発生し通話の開始を指示する制御信号を伝送する制御線と、音声信号を伝送する信号線とからなり、
住戸機は、共用部装置との間で信号線を介した通話を行う通話手段と、通話手段と住戸別線との間に挿入されて平衡−不平衡変換を行う平衡トランスと、スイッチング電源回路により商用交流電源から所望の直流電源を作成する電源手段と、電源手段で作成される直流電源により住戸別線の信号線の線間に直流電圧を印加する幹線電源供給手段と、制御線を介して伝送される制御信号を受信したときに幹線電源供給手段に直流電圧を印加させる制御手段とを備え、
幹線機器は、信号線について共用部装置側の幹線を共用部装置により選択された住戸機に繋がる送り側の幹線若しくは住戸別線に接続する状態と接続しない状態とが択一的に切替可能な接点部と、共用部装置により選択された住戸機に対応する住戸別線若しくは幹線の線間に直流電圧が印加されると接点部を前記接続する状態に切り替える接点切替部とを備え、
電源手段は、互いに静電容量が等しく且つ商用交流電源の各ラインと回路グランドとの間に挿入された一対のラインバイパスコンデンサを具備し、
平衡トランスは、住戸別線と接続される２次側が互いにインダクタンスの等しい一対の巻線と、各巻線の一端間に挿入されるコンデンサとで構成され、
幹線電源供給手段は、平衡トランスの２次側を構成する一対の巻線を介して直流電圧を印加することを特徴とする集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関するものである。
【背景技術】
【０００２】
従来、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器とを備えた集合住宅用インターホンシステムが提供されている。
【０００３】
ここで、伝送線路は、共用部装置に接続された幹線と各住戸機に接続された住戸別線とを含むとともに幹線と各住戸別線との接続部位にそれぞれ介装された複数台の分岐器を有し、伝送線路には音声信号と映像信号が多重化されて伝送される。この分岐器は、住戸別線について共用部装置側の幹線を送り側の幹線に接続する状態と共用部装置側の幹線を住戸別線に接続する状態とが択一的に切替可能な接点部と、共用部装置により選択された住戸機に対応する住戸別線の線間に直流電圧が印加されると接点部を切り替えて幹線を住戸別線に接続する状態とする接点切替部とを備えている。
【０００４】
而して、共用部装置と選択された何れか１台の住戸機との間で通話を行う場合、選択された住戸機が住戸別線に直流電圧を印加することで当該住戸別線と幹線との接続部位に介装された分岐器において共用部装置側の幹線を住戸別線に接続する状態へ接点切替部が接点部を切り替えることにより、他の全ての住戸機が幹線から切り離された状態となるから、伝送線路の容量成分や誘導成分の増大を抑えて音声信号や映像信号の伝送損失を低減することができるものである。
【０００５】
ところで住戸機においては、商用交流電源から内部回路の動作電源（直流電源）を作成する電源部が設けられており、従来は商用交流電源をトランスで降圧するとともに整流平滑回路で整流平滑して直流電圧を得るタイプの電源回路が電源部に用いられていた。また近年では、主に住戸機の小型化のために半導体スイッチング素子を利用したスイッチング電源回路が電源部に用いられている。かかるスイッチング電源回路においては、一般にコモンモードノイズ対策として商用交流電源からの入力側にコモンモードチョークコイル（バラン）とラインバイパスコンデンサが挿入されている。しかしながら、ラインバイパスコンデンサが住戸機の回路グランドに接地されるとともに商用交流電源ラインの一方（中性線）が接地されており、しかも、住戸機から共用部装置までの伝送線路の配線長が数十メートルから数百メートル以上にも及ぶため、伝送線路の浮遊容量とラインバイパスコンデンサとを介してループが形成されてしまう。そして、このループに電流が流れることで生じるコモンモードノイズは、本来、コモンモードチョークコイル並びにラインバイパスコンデンサによって抑制されるのであるが、各ラインに流れる電流（コモンモードノイズ）が不平衡である場合には、その差に相当するノイズ電圧がノーマルモードノイズとして伝送線路に重畳されるために伝送線路にハム（商用交流電源の電源周波数及びその高調波成分を含む雑音）が誘導されてしまうという問題がある。
【０００６】
このような問題を解決するものとしては特許文献１に記載されたものがある。特許文献１に記載のものにおいては、電源部にスイッチング電源回路が用いられ、伝送線路とスイッチング電源回路から電源供給を受ける回路との間を絶縁トランスで絶縁することで上述のループが形成されるのを防いでいる。
【特許文献１】特開平６−１１３０２６号公報
【発明の開示】
【発明が解決しようとする課題】
【０００７】
しかしながら、上述のように幹線と住戸機との接続を開閉するために住戸機が住戸別線に直流電圧を印加するようなシステムにおいては、特許文献１に記載されているように絶縁トランスを使って伝送線路（住戸別線）と電源部との間を絶縁することができないという問題がある。
【０００８】
本発明は上記事情に鑑みて為されたものであり、その目的は、スイッチング電源回路を用いても伝送線路に誘導されるハムが抑制できる集合住宅用インターホンシステムを提供することにある。
【課題を解決するための手段】
【０００９】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機とを備え、伝送線路は、共用部装置に接続された幹線と各住戸機に接続された住戸別線とを含むとともに幹線若しくは幹線と各住戸別線との接続部位に介装された１乃至複数台の幹線機器を有し、幹線および住戸別線は、少なくとも選択手段の操作に伴って発生し通話の開始を指示する制御信号を伝送する制御線と、音声信号を伝送する信号線とからなり、住戸機は、共用部装置との間で信号線を介した通話を行う通話手段と、通話手段と住戸別線との間に挿入されて平衡−不平衡変換を行う平衡トランスと、スイッチング電源回路により商用交流電源から所望の直流電源を作成する電源手段と、電源手段で作成される直流電源により住戸別線の信号線の線間に直流電圧を印加する幹線電源供給手段と、制御線を介して伝送される制御信号を受信したときに幹線電源供給手段に直流電圧を印加させる制御手段とを備え、幹線機器は、信号線について共用部装置側の幹線を共用部装置により選択された住戸機に繋がる送り側の幹線若しくは住戸別線に接続する状態と接続しない状態とが択一的に切替可能な接点部と、共用部装置により選択された住戸機に対応する住戸別線若しくは幹線の線間に直流電圧が印加されると接点部を前記接続する状態に切り替える接点切替部とを備え、電源手段は、互いに静電容量が等しく且つ商用交流電源の各ラインと回路グランドとの間に挿入された一対のラインバイパスコンデンサを具備し、幹線電源供給手段は、互いにインピーダンスが等しく且つ音声信号に対する整合インピーダンスよりも高いインピーダンスを介して住戸別線の各線に直流電圧を印加することを特徴とする。
【００１０】
請求項２の発明は、請求項１の発明において、電源手段は、互いに絶対値が等しく且つ極性が異なるプラス電圧とマイナス電圧を供給してなり、幹線電源供給手段は、音声信号に対する整合インピーダンスよりも高い出力インピーダンスを有し住戸別線の一方の線にプラス電圧を印加する給電回路と、音声信号に対する整合インピーダンスよりも高く且つ給電回路の出力インピーダンスと等しい入力インピーダンスを有し住戸別線の他方の線にマイナス電圧を印加する受電回路とを有し、給電回路並びに受電回路は、ベース接地されたトランジスタで構成されることを特徴とする。
【００１１】
請求項３の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機とを備え、伝送線路は、共用部装置に接続された幹線と各住戸機に接続された住戸別線とを含むとともに幹線若しくは幹線と各住戸別線との接続部位に介装された１乃至複数台の幹線機器を有し、幹線および住戸別線は、少なくとも選択手段の操作に伴って発生し通話の開始を指示する制御信号を伝送する制御線と、音声信号を伝送する信号線とからなり、住戸機は、共用部装置との間で信号線を介した通話を行う通話手段と、通話手段と住戸別線との間に挿入されて平衡−不平衡変換を行う平衡トランスと、スイッチング電源回路により商用交流電源から所望の直流電源を作成する電源手段と、電源手段で作成される直流電源により住戸別線の信号線の線間に直流電圧を印加する幹線電源供給手段と、制御線を介して伝送される制御信号を受信したときに幹線電源供給手段に直流電圧を印加させる制御手段とを備え、幹線機器は、信号線について共用部装置側の幹線を共用部装置により選択された住戸機に繋がる送り側の幹線若しくは住戸別線に接続する状態と接続しない状態とが択一的に切替可能な接点部と、共用部装置により選択された住戸機に対応する住戸別線若しくは幹線の線間に直流電圧が印加されると接点部を前記接続する状態に切り替える接点切替部とを備え、電源手段は、互いに静電容量が等しく且つ商用交流電源の各ラインと回路グランドとの間に挿入された一対のラインバイパスコンデンサを具備し、平衡トランスは、住戸別線と接続される２次側が互いにインダクタンスの等しい一対の巻線と、各巻線の一端間に挿入されるコンデンサとで構成され、幹線電源供給手段は、平衡トランスの２次側を構成する一対の巻線を介して直流電圧を印加することを特徴とする。
【発明の効果】
【００１２】
請求項１の発明によれば、互いに静電容量が等しく且つ商用交流電源の各ラインと回路グランドとの間に挿入された一対のラインバイパスコンデンサを電源手段に具備するとともに、幹線電源供給手段が、互いにインピーダンスが等しく且つ音声信号に対する整合インピーダンスよりも高いインピーダンスを介して住戸別線の各線に直流電圧を印加することにより、伝送線路の平衡度を崩すことなしに幹線電源供給手段から直流電圧を印加することができるため、各線に流れる電流（コモンモードノイズ）の差を低減することができ、その結果、伝送線路にハム（商用交流電源の電源周波数及びその高調波成分を含む雑音）が誘導されるのを防ぐことができる。
【００１３】
請求項２の発明によれば、幹線電源供給手段を構成する給電回路並びに受電回路がベース接地されたトランジスタで構成されるため、幹線電源供給手段をインダクタで構成する場合に比較して小型化できる。
【００１４】
請求項３の発明によれば、互いに静電容量が等しく且つ商用交流電源の各ラインと回路グランドとの間に挿入された一対のラインバイパスコンデンサを電源手段に具備するとともに、平衡トランスが、住戸別線と接続される２次側が互いにインダクタンスの等しい一対の巻線と、各巻線の一端間に挿入されるコンデンサとで構成され、幹線電源供給手段が、平衡トランスの２次側を構成する一対の巻線を介して直流電圧を印加することにより、伝送線路の平衡度を崩すことなしに幹線電源供給手段から直流電圧を印加することができるため、各線に流れる電流の差を低減することができ、その結果、伝送線路にハムが誘導されるのを防ぐことができ、しかも、電源供給をするためにトランス以外のインダクタンスやトランジスタ回路が不要であるので小型化並びにコストダウンが図れる。
【発明を実施するための最良の形態】
【００１５】
（実施形態１）
本実施形態のシステム構成例を図１に示す。本実施形態では、集合住宅の共用玄関に設置される共用部装置（ロビーインターホン）１と、各住戸にそれぞれ配置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される住戸別線Ｌ２とを含み、幹線Ｌ１と各住戸別線Ｌ２との間にはそれぞれ分岐器７が介装される。さらに、本実施形態では幹線Ｌ１を複数系統（図では２系統）に分岐するための幹線機器である経路切替器１０が設けられている。
【００１６】
伝送線路は、経路切替器１０を介してロビーインターホン１に接続される幹線Ｌ１と、幹線Ｌ１から分岐されて各住戸機２にそれぞれ接続される住戸別線Ｌ２とを含む。この伝送線路としては、２対以上のペア線をシース内に備える多対ツイストペアケーブルを用いており、図示例ではロビーインターホン１と住戸機２との間で、ロビーインターホン１が具備するカメラ（図示せず）で撮像された映像信号と音声信号とを多重伝送する信号線Ｌｄと、ロビーインターホン１が有する選択手段（後述する）により選択された住戸機２を指定する制御信号を伝送する制御線Ｌｃとにそれぞれペア線を用いている。つまり、図示例の伝送線路では２対のペア線を用いている。ここで、信号線Ｌｄを介して伝送される映像信号はロビーインターホン１において周波数変調され、周波数変調された映像信号（以下、「ＦＭ映像信号」と呼ぶ）と音声信号とは周波数帯域が異なるから（音声信号に対してＦＭ映像信号は周波数が十分に高い）、周波数多重化の技術によって多重化することができる。そして、信号線Ｌｄを介して音声信号と多重化されて伝送されるＦＭ映像信号が、後述するように各住戸機２に設けた多重分離回路２０１で分離された後にＦＭ復調部２５ａで周波数復調されてモニタ２２に表示される。
【００１７】
ロビーインターホン１は、音声を入出力するマイクロホン及びスピーカと、来訪者を撮像するカメラと、カメラから出力する映像信号を周波数変調するＦＭ変調回路と、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して通話制御装置５が接続されており、ロビーインターホン１で選択された住戸番号が制御線Ｌｃを介して通話制御装置５に伝送されると、通話制御装置５が当該住戸番号に対応する住戸機２に対して制御線Ｌｃを介して制御信号（呼出コマンド）を送出する。またロビーインターホン１から通話制御装置５を経由する通話線Ｌａを介して伝送される音声信号と、ロビーインターホン１から映像線Ｌｂを介して伝送されるＦＭ映像信号とを多重化する機能を持った幹線制御装置３がロビーインターホン１と各住戸機２との間に設けられる。さらに、通話制御装置５には通話線Ｌａ及び制御線Ｌｃを介して管理室インターホン４が接続されている。
【００１８】
一方、住戸機２は、音声を入出力するマイクロホン２１ａ及びスピーカ２１ｂを備え、マイクロホン２１ａとスピーカ２１ｂとはそれぞれ増幅器２４ａ，２４ｂを介して音声回路２４ｃに接続されている。ここで、上述のように音声信号と映像信号との両方で信号線Ｌｄを用いるために、幹線制御装置３及び住戸機２にはそれぞれ多重分離回路２０１を設けている。幹線制御装置３と住戸機２とにそれぞれ用いている多重分離回路２０１は同構成であって、音声回路２４ｃと信号線Ｌｄとの間に挿入される低周波通過部２０１ａと、結合トランス２５ｃと信号線Ｌｄとの間に挿入される高周波通過部２０１ｂとからなる（但し、幹線制御装置３については図示を省略する。）。低周波通過部２０１ａは音声信号に対して低インピーダンスであって映像信号に対して高インピーダンスのものを用い、高周波通過部２０１ｂは音声信号に対して高インピーダンスであって映像信号に対して低インピーダンスのものを用いる。図示例では、低周波通過部２０１ａとしてインダクタを用い、高周波通過部２０１ｂとしてコンデンサを用いている。尚、低周波通過部２０１ａよりも音声回路２４ｃ側で信号線Ｌｄの線間に幹線電源供給部２００により直流電圧が印加されるようになっており、この直流電圧が音声信号に与える影響を取り除くために低周波通過部２０１ａと音声回路２４ｃとの間には直流電圧を阻止するコンデンサ２０２並びに平衡−不平衡変換のためのトランス（以下、平衡トランスと呼ぶ。）２０３が挿入されている。音声回路２４ｃは、２線の信号線Ｌｄと２個の増幅器２４ａ，２４ｂの入力線及び出力線とを２線４線変換する回路を含み、マイクロホン２１ａから入力される音声信号を多重分離回路２０１を介して信号線Ｌｄに送出し、多重分離回路２０１で分離された信号線Ｌｄからの音声信号をスピーカ２１ｂ側に出力する機能を備えている。したがって、ロビーインターホン１と住戸機２との間で信号線Ｌｄを通して音声信号を授受することができ、来訪者がロビーインターホン１を用いるとともに居住者が住戸機２を用いることによって、来訪者と居住者との間で音声通話が可能となる。
【００１９】
住戸機２に設けた音声回路２４ｃには、子器インタフェース回路２３及び子器接続線Ｌ３を介してドアホン子器６が接続される。ドアホン子器６は集合住宅の各住戸の玄関先に配置されるものであってマイクロホンおよびスピーカを備え、子器インタフェース回路２３はドアホン子器６との通話のための音声双方向増幅回路や音声回路２４ｃを接続するための開閉路回路などを備える。したがって、ドアホン子器６と住戸機２との間での通話が可能になっている。また、ドアホン子器６には呼出釦が設けられ、子器インタフェース回路２３ではドアホン子器６での呼出釦の操作時に呼出音を音声回路２４ｃに入力して、スピーカ２１ｂから送出させる機能も備える。ドアホン子器６の電源は住戸機２に内蔵した子器電源部２８ａから電源重畳回路２８ｂを介して供給される。電源重畳回路２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【００２０】
住戸機２において、モニタ２２には液晶表示器あるいはＣＲＴが用いられる。信号線Ｌｄを通して住戸機２に入力されるＦＭ映像信号は、多重分離回路２０１で分離された後に平衡−不平衡変換のための結合トランス２５ｃを介して増幅器２５ｂに入力され、増幅器２５ｂで増幅された後にＦＭ復調部２５ａにおいて周波数復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができるのである。
【００２１】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源（直流電源）は、電源回路２７によって商用電源（交流１００Ｖ）から作成される。
【００２２】
ここで、制御線Ｌｃについては、幹線Ｌ１と住戸別線Ｌ２とが分岐器７内において直結され、経路切替器１０において各系統の幹線Ｌ１を直結している。したがって、通話制御装置５から送出された制御信号は制御線Ｌｃに接続されるすべての住戸機２に伝送される。ここに、住戸機２のＣＰＵ２０には個別にアドレス（たとえば、住戸番号）が設定されており、ロビーインターホン１においてアドレスを選択することによって、アドレスを指定する制御信号（呼出コマンド）が通話制御装置５から制御線Ｌｃを介して全ての住戸機２に伝送することが可能になっている。住戸機２のＣＰＵ２０は、制御信号に含まれるアドレスが自己のアドレスであれば、住戸別線Ｌ２の信号線Ｌｄにおける幹線Ｌ１と音声回路２４ｃとの間に挿入された住戸機リレーのリレー接点２９を閉成してロビーインターホン１との間に通信路を確立するとともに、ＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させるように構成されている。なお、制御信号はロビーインターホン１から住戸機２の呼出に用いるだけではなく、管理室インターホン４からの一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。
【００２３】
幹線機器たる経路切替器１０は、１系統の幹線Ｌ１（信号線Ｌｄ及び制御線Ｌｃ）を２系統の幹線Ｌ１に分岐し、分岐した２系統の各幹線Ｌ１における信号線Ｌｄに切替型の幹線リレー接点１１Ａ，１１Ｂをそれぞれ挿入して構成されている。但し、以下では説明を簡単にするために、幹線制御装置３と経路切替器１０の間を接続する幹線Ｌ１を幹線Ｌ１0、経路切替器１０を介して分岐された２系統の幹線Ｌ１をそれぞれ幹線Ｌ１1及び幹線Ｌ１2と表記し、一方の幹線Ｌ１1に分岐器７を介して分岐接続された複数台の住戸機２を住戸機２11，２12，…、他方の幹線Ｌ１2に分岐器７を介して分岐接続された複数台の住戸機２を住戸機２21，２22，…、各住戸機２11，２12，…、２21，…と住戸別線Ｌ２で接続される分岐器７をそれぞれ分岐器７11，７12，…、７21，…と表記する。
【００２４】
幹線リレー接点１１Ａ，１１Ｂは、各幹線Ｌ１1，Ｌ１2の幹線Ｌ１0側に設けられた共通接点１１ａと、共通接点１１ａに対して常閉である常閉側切替接点１１ｂと、共通接点１１ａに対して常開であって各幹線Ｌ１1，Ｌ１2の住戸機２側に設けられた常開側切替接点１１ｃとからなり、一方の常閉側切替接点１１ｂと他方の常開側切替接点１１ｃ同士が直流電圧を阻止する直流電圧阻止用のコンデンサ１３Ａ，１３Ｂを介してそれぞれ接続されて構成されている。そして、これら２つの幹線リレー接点１１Ａ，１１Ｂは、幹線リレー駆動部１２Ａ，１２Ｂにより幹線リレー（図示せず）を駆動することで共通接点１１ａが常閉側切替接点１１ｂから常開側切替接点１１ｃに切替接続されるものであって、幹線リレー駆動部１２Ａ，１２Ｂが幹線リレーを駆動していない状態では、ロビーインターホン１側の幹線Ｌ１0と一方の系統の幹線Ｌ１1とが幹線リレー接点１１Ｂ及びコンデンサ１３Ｂを介して接続されるとともにロビーインターホン１側の幹線Ｌ１0と他方の系統の幹線Ｌ１2とが幹線リレー接点１１Ａ及びコンデンサ１３Ａを介して接続された状態にあり、幹線リレー駆動部１２Ａが制御対象である幹線リレーを駆動している状態では、幹線リレー接点１１Ａの共通接点１１ａと常開側切替接点１１ｃが接続されることにより、ロビーインターホン１側の幹線Ｌ１0と一方の系統の幹線Ｌ１1とが接続されて周波数多重された音声信号および映像信号が通過するとともに、幹線リレー接点１１Ｂについては共通接点１１ａと常閉側切替接点１１ｂは接続されたままであることにより、ロビーインターホン１側の幹線Ｌ１0および一方の系統の幹線Ｌ１1と、他方の系統の幹線Ｌ１2は切り離された状態になる。また、幹線リレー駆動部１２Ｂが制御対象である幹線リレーを駆動している状態では、幹線リレー接点１１Ｂの共通接点１１ａと常開側切替接点１１ｃが接続されることにより、ロビーインターホン１側の幹線Ｌ１0と他方の系統の幹線Ｌ１2とが接続されて周波数多重された音声信号および映像信号が通過するとともに、幹線リレー接点１１Ａについては共通接点１１ａと常閉側切替接点１１ｂは接続されたままであることにより、ロビーインターホン１側の幹線Ｌ１0および他方の系統の幹線Ｌ１2と、一方の系統の幹線Ｌ１1は切り離された状態になる。この幹線リレー駆動部１２Ａ，１２Ｂは、音声信号並びに映像信号の通過を阻止する一対のインダクタ１２ａと、交流入力端がそれぞれインダクタ１２ａを介して信号線Ｌｄに接続されたダイオードブリッジ１２ｂと、ダイオードブリッジ１２ｂの脈流出力端から取り出した直流電圧を定電圧化して幹線リレーの励磁コイルに励磁電流を流す駆動回路１２ｃとで構成されている。
【００２５】
次に、本発明の要旨である住戸機２の電源回路２７並びに幹線電源供給部２００の構成を説明する。
【００２６】
電源回路２７は、図２に示すように商用交流電源の入力側に設けられたコモンモードチョークコイルＬｘと、互いに静電容量が等しく且つ商用交流電源の各ラインと回路グランドＧとの間に挿入された一対のラインバイパスコンデンサＣ１，Ｃ２と、商用交流電源を全波整流するダイオードブリッジＤＢと、１次側がダイオードブリッジＤＢの脈流出力端と接続されるトランスＴと、トランスＴの２次側出力を整流平滑するダイオードＤ並びに平滑コンデンサＣ０と、トランスＴの１次側に流れる電流を断続する半導体スイッチング素子（図示せず）を具備し、平滑コンデンサＣ０の両端に所望の直流電圧が得られるように半導体スイッチング素子のスイッチング周波数若しくはオンデューティ比を調整する帰還回路２７ａとで構成される。なお、このような回路構成は従来周知であるから詳細な動作についての説明は省略する。
【００２７】
一方、幹線電源供給部２００は、信号線Ｌｄの一方に一端が接続されたインダクタＬＡと、インダクタＬＡの他端と電源回路２７の正極との間に挿入されたスイッチＳＷ１と、信号線Ｌｄの他方に一端が接続されるとともに他端が回路グランドＧに接地されたインダクタＬＢとを有し、ＣＰＵ２０によってスイッチＳＷ１がオンされたときに２つのインダクタＬＡ，ＬＢを介して信号線Ｌｄ（住戸別線Ｌ２）に直流電圧を印加するように構成されている。ここで、２つのインダクタＬＡ，ＬＢのインダクタンスＺ１，Ｚ２は互いに等しく（Ｚ１＝Ｚ２）且つ住戸別線Ｌ２から直流阻止用のコンデンサ２０２側を見たときのインピーダンスＺ、つまり音声信号に対する整合インピーダンスよりも高く（Ｚ≪Ｚ１＝Ｚ２）設定されている。
【００２８】
而して、互いに静電容量が等しく且つ商用交流電源の各ラインと回路グランドＧとの間に挿入された一対のラインバイパスコンデンサＣ１，Ｃ２を電源回路２７に具備するとともに、幹線電源供給部２００が、互いにインピーダンスＺ１，Ｚ２が等しく且つ音声信号に対する整合インピーダンスＺよりも高いインピーダンスＺ１，Ｚ２を介して住戸別線Ｌ２の各線に直流電圧を印加することにより、伝送線路（信号線Ｌｄ）の平衡度を崩すことなしに幹線電源供給部２００から直流電圧を印加することができる。そのため、各線に流れる電流（コモンモードノイズ）の差を低減することができ、その結果、伝送線路（信号線Ｌｄ）にハムが誘導されるのを防ぐことができる。
【００２９】
最後に図１を参照して本実施形態の動作を説明する。まず、ロビーインターホン１と、ロビーインターホン１で選択された１台の住戸機２（例えば、住戸機２11）との間で１対１で通話（以下、個別通話と呼ぶ。）する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２11の応答釦（図示せず）を押操作すると、住戸機２11のＣＰＵ２０が音声回路２４ｃを動作させて通話可能な状態にするとともにスイッチＳＷ１をオンして幹線電源供給部２００により幹線Ｌ１1における信号線Ｌｄの線間に直流電圧を印加する。経路切替器１０の幹線リレー駆動部１２Ａでは、幹線Ｌ１1における信号線Ｌｄの線間に直流電圧が印加されると駆動回路１２ｃが動作して幹線リレーの励磁コイルに励磁電流を流すことにより幹線リレーを駆動し、幹線Ｌ１1に挿入されている幹線リレー接点１１Ａにおいて共通接点１１ａを常閉側切替接点１１ｂから常開側切替接点１１ｃに切替接続する。一方、ロビーインターホン１に選択されなかった住戸機２12，…、２21，…では、ＣＰＵ２０が住戸機リレーのリレー接点２９を閉成せず、また幹線電源供給部２００によって信号線Ｌｄの線間に直流電圧を印加しないから、ロビーインターホン１に選択されなかった住戸機２21，…のみが分岐接続されている幹線Ｌ１2に挿入されている幹線リレー接点１１Ｂにおいては共通接点１１ａが常閉側切替接点１１ｂに接続された状態のままとなる。このとき、経路切替器１０では幹線リレー接点１１Ａの常開側切替接点１１ｃと幹線リレー接点１１Ｂの常閉側切替接点１１ｂとの間に挿入されたコンデンサ１３Ａにより、住戸機２11の幹線電源供給部２００によって信号線Ｌｄの線間に印加された直流電圧を阻止しているため、幹線リレー接点１１Ｂを介して他方の幹線リレー駆動部１２Ｂに直流電圧が印加されることがなく、幹線Ｌ１2における信号線Ｌｄに挿入された幹線リレー接点１１Ｂが誤って切り替えられることを防いでいる。
【００３０】
上述した動作により、経路切替器１０においては２系統の幹線Ｌ１1，Ｌ１2のうちでロビーインターホン１に選択された住戸機２11が分岐接続された幹線Ｌ１1のみがロビーインターホン１側の幹線Ｌ１0と接続され、他方の幹線Ｌ１2がロビーインターホン１側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【００３１】
次に集合住宅の管理室に設置された管理室インターホン４から全ての住戸の住戸機２に対して避難誘導等のための音声を一斉に放送する場合について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０は幹線電源重畳回路２００による信号線Ｌｄの線間への直流電圧印加を行わない。したがって、経路切替器１０の幹線リレー駆動部１２Ａ，１２Ｂでは、幹線Ｌ１1，Ｌ１2における信号線Ｌｄの線間に直流電圧が印加されないことから、２つの幹線リレー駆動部１２Ａ，１２Ｂにおける駆動回路１２ｃが双方とも動作せず、各幹線Ｌ１1，Ｌ１2における信号線Ｌｄに挿入された幹線リレー接点１１Ａ，１１Ｂは双方とも共通接点１１ａが常閉側切替接点１１ｂに接続された状態に維持される。
【００３２】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了する。
【００３３】
上述した動作により、経路切替器１０においては２系統の幹線Ｌ１1，Ｌ１2が双方ともロビーインターホン１側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。このとき、経路切替器１０では幹線リレー接点１１Ａ，１１Ｂにおける共通接点１１ａが常閉側切替接点１１ｂに接続されて各幹線Ｌ１1，Ｌ１2が幹線Ｌ１0と接続された状態にあるため、何れの住戸機２からも信号線Ｌｄの線間に直流電圧を印加する必要がないから、一斉放送時に信号線Ｌｄの線間に印加される直流電圧の衝突も生じない。但し、一斉放送の対象をシステムに含まれる全ての住戸機２として説明したが、必ずしも全ての住戸機２を一斉放送の対象とする必要はなく、例えば、一斉放送の内容に応じて対象とする住戸機２を限定しても構わない。また、本実施形態では幹線機器として経路切替器１０を用いたが、幹線Ｌ１1，Ｌ１2から住戸別線Ｌ２を分岐している分岐器７11，…を幹線機器とし、住戸機２から信号線Ｌｄに印加される直流電圧によって住戸別線Ｌ２を幹線Ｌ１1，Ｌ１2に接続する状態と接続しない状態に切り替えるようにしても構わない。
【００３４】
（実施形態２）
本実施形態は、幹線電源供給部２００の構成に特徴があり、その他の構成並びに動作については実施形態１と共通である。よって、実施形態１と共通の構成要素には同一の符号を付して図示並びに説明を省略する。
【００３５】
本実施形態においては、電源回路２７から出力される直流電圧より、互いに絶対値が等しく且つ極性が異なるプラス電圧とマイナス電圧を得ており、これらプラス電圧並びにマイナス電圧がそれぞれ幹線電源供給部２００に供給される。
【００３６】
幹線電源供給部２００は、図４に示すように音声信号に対する整合インピーダンスＺよりも高い出力インピーダンスＺ３を有し信号線Ｌｄの一方の線にプラス電圧を印加する給電回路２００ａと、給電回路２００ａへのプラス電圧の印加を入切するスイッチＳＷ２と、音声信号に対する整合インピーダンスＺよりも高く且つ給電回路２００ａの出力インピーダンスＺ３と等しい入力インピーダンスＺ４を有し信号線Ｌｄの他方の線にマイナス電圧を印加する受電回路２００ｂと、受電回路２００ｂへのマイナス電圧の印加を入切するスイッチＳＷ３とを有し、２つのスイッチＳＷ２，ＳＷ３がＣＰＵ２０によってオンされたときに給電回路２００ａ並びに受電回路２００ｂを介して信号線Ｌｄ（住戸別線Ｌ２）に直流電圧を印加するように構成されている。
【００３７】
給電回路２００ａは、ＰＮＰ型のバイポーラトランジスタＱ１のコレクタが一方の信号線Ｌｄに接続され、トランジスタＱ１のベースが抵抗Ｒ２を介して回路グランドＧに接地されるとともに、スイッチＳＷ２に接続されたトランジスタＱ１のエミッタとベースの間に抵抗Ｒ１が挿入されて構成されている。また、受電回路２００ｂは、ＮＰＮ型のバイポーラトランジスタＱ２のコレクタが他方の信号線Ｌｄに接続され、トランジスタＱ２のベースが抵抗Ｒ４を介して回路グランドＧに接地されるとともに、スイッチＳＷ３に接続されたトランジスタＱ２のエミッタとベースの間に抵抗Ｒ３が挿入されて構成されている。ここで、２つのトランジスタＱ１，Ｑ２には特性がほぼ同一の素子を用いるとともに抵抗Ｒ１〜Ｒ４の抵抗値を調整することにより、信号線Ｌｄから見たインピーダンス、つまり、給電回路２００ａの出力インピーダンスＺ３と受電回路２００ｂの入力インピーダンスＺ４とが互いに等しく且つ音声信号に対する整合インピーダンスＺよりも高く設定されている（Ｚ≪Ｚ３＝Ｚ４）。
【００３８】
而して、本実施形態においても実施形態１と同様に、伝送線路（信号線Ｌｄ）の平衡度を崩すことなしに幹線電源供給部２００から直流電圧を印加することができる。そのため、各線に流れる電流（コモンモードノイズ）の差を低減して伝送線路（信号線Ｌｄ）にハムが誘導されるのを防ぐことができる。しかも、実施形態１のようにインダクタＬＡ，ＬＢを用いる場合に比較して幹線電源供給部２００の実装面積や体積を小さくして小型化が図れるという利点がある。
【００３９】
（実施形態３）
本実施形態は、幹線電源供給部２００の構成に特徴があり、その他の構成並びに動作については実施形態１と共通である。よって、実施形態１と共通の構成要素には同一の符号を付して図示並びに説明を省略する。
【００４０】
本実施形態においては、図５に示すように平衡トランス２０３が信号線Ｌｄと接続される２次側が互いにインダクタンスの等しい一対の巻線２０３ａ，２０３ｂと、各巻線２０３ａ，２０３ｂの一端間に挿入されるコンデンサ２０３ｃとで構成されている。そして、幹線電源供給部２００は、平衡トランス２０３の２次側の巻線２０３ａ，２０３ｂと、一方の巻線２０３ａの一端と電源回路２７の正極との間に挿入されたスイッチＳＷ４とを有し、ＣＰＵ２０によってスイッチＳＷ４がオンされたときに平衡トランス２０３の巻線２０３ａ，２０３ｂを介して信号線Ｌｄ（住戸別線Ｌ２）に直流電圧を印加するように構成されている。つまり、平衡トランス２０３の２次側の巻線２０３ａ，２０３ｂが実施形態１におけるインダクタＬＡ，ＬＢと同じ機能を持つことになるから、伝送線路（信号線Ｌｄ）の平衡度を崩すことなしに幹線電源供給部２００から直流電圧を印加することができる。そのため、各線に流れる電流（コモンモードノイズ）の差を低減することができて伝送線路（信号線Ｌｄ）にハムが誘導されるのを防ぐことができる。しかも、本実施形態では平衡トランス２０３の２次側の巻線２０３ａ，２０３ｂを幹線電源供給部２００に兼用しているから、実施形態１，２に比べて幹線電源供給部２００の小型化並びにコストダウンが図れるという利点がある。
【図面の簡単な説明】
【００４１】
【図１】本発明の実施形態１を示すシステム構成図である。
【図２】同上における電源回路の概略回路構成図である。
【図３】同上における幹線電源供給部の概略回路構成図である。
【図４】実施形態２における幹線電源供給部の概略回路構成図である。
【図５】実施形態３における幹線電源供給部の概略回路構成図である。
【符号の説明】
【００４２】
１  ロビーインターホン（共用部装置）
２11，２12，２21  住戸機
１０  経路切替器（幹線機器）
２７  電源回路
２００  幹線電源供給部
【図１】
2007150900.tif 000003
【図２】
2007150900.tif 000004
【図３】
2007150900.tif 000005
【図４】
2007150900.tif 000006
【図５】
2007150900.tif 000007